(57)【要約】【課題】輸送時における輸送の安全を図ることができると共に、輸送効率と、組立時における施工効率とを共に向上することのできるユニットハウスを提供する。【解決手段】山型の勾配屋根を有する切妻屋根部１０が折り畳み可能なユニットハウス１００であって、少なくとも４つの壁面パネルからなる建物躯体１と、前記切妻屋根部１０を構成し、前記建物躯体１の上端に、夫々相対向して取り付けられた１対の屋根パネル３および該屋根パネル３を支える１対の小屋組２とを備え、前記１対の屋根パネル３と１対の小屋組２とは、回動方向が直交するように、前記建物躯体１の上端に蝶番連結によって回動自在に取り付けられ、折り畳み時には、前記１対の屋根パネル３および小屋組２が水平方向に可倒される。【選択図】      図２
2005023661.tif 000002
【特許請求の範囲】
【請求項１】
少なくとも４つの壁面パネルを有する建物躯体と、前記建物躯体上に設置され、山型の勾配屋根を有する切妻屋根部とからなるユニットハウスであって、
前記切妻屋根部は、前記建物躯体の上端に、夫々相対向して取り付けられた１対の屋根パネルと、該屋根パネルを支える１対の小屋組とを備え、
前記１対の屋根パネルと１対の小屋組とは、回動方向が直交するように前記建物躯体の上端に蝶番連結によって回動自在に取り付けられ、前記１対の屋根パネルおよび小屋組が水平方向に可倒されることによって、前記切妻屋根部が折り畳まれることを特徴とするユニットハウス。
【請求項２】
前記切妻屋根部の折り畳み状態において、水平方向に可倒された前記１対の屋根パネル同士が、連結部材により連結固定されることを特徴とする請求項１に記載されたユニットハウス。
【請求項３】
前記切妻屋根部の組立状態において、前記１対の小屋組は、前記建物躯体の上端に、夫々直立してボルト固定され、
前記１対の屋根パネルは、傾斜した状態で、直立した前記１対の小屋組に夫々ボルト固定されることを特徴とする請求項１に記載されたユニットハウス。
【請求項４】
前記１対の屋根パネルが前記１対の小屋組に夫々ボルト固定された状態で、前記１対の屋根パネル間に形成された隙間を覆う棟カバーと、
前記１対の屋根パネルの周縁に取り付けられる破風板とをさらに備えることを特徴とする請求項３に記載されたユニットハウス。
【発明の詳細な説明】
【０００１】
【発明の属する技術分野】
本発明は、折り畳み可能な構造を有する切妻屋根のユニットハウスに関する。
【０００２】
【従来の技術】
ユニットハウスを設置する場合、例えば、工場で一定のモジュール単位で生産を行ない、各モジュールを現場に輸送後、組立を行なう、または工場ですべて組立後、設置現場に輸送するといった方法がとられている。
このうち、前者の方法にあっては、設置現場で組立作業を行なうため、ユニットハウスの組立に長時間を費やすという課題があった。
【０００３】
一方、後者の方法にあっては、現地での設置作業に時間を要しないが、ユニットハウスの高さが高くなり、車両で安全に輸送できないという課題があった。
また、このようにユニットハウス全体の高さ寸法が高くなると、例えば車両輸送の際に、最短輸送ルートにおいて道路の高さ規制を超過するポイントの存在確率が高くなり、迂回ルートを余儀なく選択しなければならず、その結果、輸送効率が低下していた。
【０００４】
このような課題に対し、特許文献１（特開平５−３０６５４８号公報）では、ユニットハウスを構成する各パネルを折り畳み構造とすることにより、輸送時にはコンパクトな形状とすることができるユニットハウスが提案されている。
この特許文献１に示されるユニットハウスの屋根を展開した状態の斜視図を図８（ａ）に、このユニットハウスを折り畳んだ状態の短手側の側面図を図８（ｂ）に示す。
【０００５】
図８（ａ）に示すように、このユニットハウス５０は、各一対とした平側パネル５１、屋根パネル５２、前後妻側パネル５３、および床パネル５４（図示せず）から構成される。また、前記平側パネル５１には、必要に応じて窓５１ａあるいはドア５１ｂが設けられている。
【０００６】
この平側パネル５１には、その上端に屋根パネル５２、その両側端に前後の妻側パネル５３、また、その下端に床パネル５４（図示せず）が、夫々蝶番連結されており、該平側パネル５１を基準として夫々折り畳み可能に構成されている。
このように特許文献１に示されるユニットハウスの構造においては、各パネルが蝶番連結によって回動自在に構成されているため、折り畳むことによって、図８（ｂ）に示すようにコンパクトな形状にすることができる。
また、設置現場での組立作業も、蝶番連結された各パネルを展開することによって、容易に行なうことができる。
【０００７】
一方、前記した課題に対し、特許文献２（特開平８−２６０６０８号公報）には、折り畳み可能な屋根ユニットが開示されている。
この特許文献２に示される屋根ユニットの組立状態の側面図を図９（ａ）に、折り畳んだ状態の側面図を図９（ｂ）に示す。
【０００８】
図９（ａ）に示す屋根ユニット６０は、建物躯体を構成する複数の建物ユニット７０上に夫々設置され、該複数の屋根ユニット６０により屋根部を形成するように構成されている。
すなわち、各屋根ユニット６０は、建物ユニット７０上に設置されるベースフレーム６１と、このベースフレーム６１に束部材６３によって取り付けられた屋根パネル６２と、軒天材６４と、吊部材６５とにより構成されている。
このうち屋根パネル６２は、ベースフレーム６１上の軒先側において回動自在に連結されている。
【０００９】
また、前記束部材６３は、屋根パネル６２の棟側に回動自在に連結されている。
そして、軒天材６４は、前記屋根パネル６２の軒先側に一端が回動自在に連結され、また、吊部材６５は、前記ベースフレーム６１の軒先側に一端が回動自在に連結され、かつ他端が前記軒天材６４の他端と連結されている。
【００１０】
このように、特許文献２に示される屋根ユニット６０は、図９（ｂ）に示すように高さ寸法を抑えて折り畳むことができるため、例えば車両輸送の際に道路の高さ規制を超えないように構成されている。
【００１１】
【特許文献１】
特開平５−３０６５４８号公報（第３頁左欄第５行乃至第３１行、第２図、第４図）
【特許文献２】
特開平８−２６０６０８号公報（第３頁右欄第４１行乃至第４頁右欄第４２行、第２図、第３図）
【００１２】
【発明が解決しようとする課題】
ところで、特許文献１においては、図８（ｂ）に示すように折り畳んだ状態の横幅寸法を狭くすることが可能である。
しかしながら、前記ユニットハウス５０の屋根パネル５２の勾配を大きくしたい場合、屋根パネル５２を支える妻側パネル５３の小屋組部分の高さ寸法を高く形成する必要がある。
【００１３】
そのため、例えば車両輸送の際に、直立状態で積載すると、道路の高さ規制を超える確率が高くなる。仮に、水平状態で車両に積載すれば、前記高さ規制の課題を回避できても、荷台における接触により傷が生じる虞もあり、積載性に課題が残る。
すなわち、特許文献１にあっては、屋根の勾配が小さい場合には有効であるが、屋根の勾配が大きい場合には前記高さ規制の課題を解決できるものではない。
さらに、組立時の屋根パネル５２あるいは床パネル５４の自由端の係合は、嵌合いによる方法が取られており、強度面で不安が残るものとなっている。
【００１４】
一方、特許文献２においては、ユニットハウスの輸送時に、建物躯体と複数の屋根ユニット６０とは分離されて輸送される。この場合、屋根ユニット６０は折り畳まれた状態で車両に積載されるため、道路の高さ規制を気にせずに輸送することができる。
しかしながら、設置現場においては、建物躯体を構築した後に、折り畳まれた状態の複数の屋根ユニット６０を一つひとつクレーンで建物躯体上に設置する必要があるため、長時間の施工作業が必要となる。
このように、特許文献２に示される形態によっても、輸送および組立作業を含めた設置効率を向上することはできない。
【００１５】
本発明は、前記したような事情の下になされたものであり、輸送時における輸送の安全を図ることができると共に、輸送効率と、組立時における施工効率とを共に向上することのできるユニットハウスを提供することを目的とする。
【００１６】
【課題を解決するための手段】
上記課題を解決するために、本発明にかかるユニットハウスは、少なくとも４つの壁面パネルを有する建物躯体と、前記建物躯体上に設置され、山型の勾配屋根を有する切妻屋根部とからなるユニットハウスであって、前記切妻屋根部は、前記建物躯体の上端に、夫々相対向して取り付けられた１対の屋根パネルと、該屋根パネルを支える１対の小屋組とを備え、前記１対の屋根パネルと１対の小屋組とは、回動方向が直交するように前記建物躯体の上端に蝶番連結によって回動自在に取り付けられ、前記１対の屋根パネルおよび小屋組が水平方向に可倒されることによって、前記切妻屋根部が折り畳まれることに特徴を有する。
このように、切妻屋根部を構成する小屋組および屋根パネルが、蝶番連結によって建物躯体に対し回動自在に取り付けられ、水平方向に折り畳むことができるため、折り畳み時のユニットハウスの高さ寸法を低く抑えることができる。
このため、車両輸送時においては安全に、しかも高さ寸法による道路の高さ規制を超えることなく輸送することができ、組立時には、付属部品の点数が少なく組立が容易なため、従来よりも設置現場での施工時間を短縮することができる。
【００１７】
また、前記切妻屋根部の折り畳み状態において、水平方向に可倒された前記１対の屋根パネル同士が、連結部材により連結固定されることが望ましい。
このように構成すれば、輸送時における屋根パネルの不用意な展開、あるいは、がたつき等を抑制することができる。
【００１８】
また、前記切妻屋根部の組立状態において、前記１対の小屋組は、前記建物躯体の上端に、夫々直立してボルト固定され、前記１対の屋根パネルは、傾斜（勾配）を有する状態で、直立した前記１対の小屋組に夫々ボルト固定されることが望ましい。
このようにボルト固定することによって、組立完成時のユニットハウスの強度を確保することができる。
なおまた、前記１対の屋根パネルが前記１対の小屋組に夫々ボルト固定された状態で、前記１対の屋根パネル間に形成された隙間を覆う棟カバーと、前記１対の屋根パネルの周縁に取り付けられる破風板とをさらに備えることが好ましい。
【００１９】
【発明の実施の形態】
以下、この発明に係るユニットハウスについて、図１乃至図７に示す実施形態に基づき説明する。
図１は、本発明に係るユニットハウスの完成状態の斜視図である。図２は、本発明に係るユニットハウスの折り畳み状態の斜視図である。図３は、本発明に係るユニットハウスの切妻屋根の骨組みを示す図である。また、図４は、図３の切妻屋根の折り畳み時における骨組みの拡大図であり、図５は、組立時における骨組みの拡大図である。さらに、図６および図７は、本発明に係るユニットハウスの組立順を示す側面図である。
【００２０】
図１に示すように、完成状態のユニットハウス１００は、少なくとも４つの壁面パネル、すなわち、相対向する１対の妻側パネル１ａおよび１対の平側パネル１ｂからなる建物躯体１と、この建物躯体１の上に設置された切妻屋根部１０とにより構成される。
そして前記切妻屋根部１０は、建物躯体１の上端に取り付けられた１対の小屋組２と、前記小屋組２に支えられた２枚の屋根パネル３により構成される。
なお、ユニットハウス１００の完成時には、図１に示すように、山型に勾配が加えられた２枚の屋根パネル３間の隙間を覆うように、棟カバー４が被せられ固定される。また、前記屋根パネル３の周縁には、破風板５が取り付けられる。
さらに、必要に応じて妻側パネル１ａには、人が出入りするドア６あるいは図示しない窓が設けられる。
【００２１】
一方、このユニットハウス１００を工場から設置現場に輸送する場合、図２に示すように、前記棟カバー４および破風板５が取り外された状態で、切妻屋根部１０が折り畳み状態にされる。すなわち、前記１対の小屋組２が夫々、建物躯体１の内側に向けて水平方向に可倒され、その上に２枚の屋根パネル３が夫々水平方向に折り重ねられる。
このように、切妻屋根部１０を図２に示すように折り畳み状態とすることによって、切妻屋根の高さ寸法を低くし、折り畳み時のユニットハウス１００の高さ寸法を低く抑えるようにされている。
【００２２】
ここで図３乃至図５に基づき、前記切妻屋根部１０の折り畳み構造についてさらに説明する。
図３（ａ）は、１点鎖線で示す境界線Ｃを境に、符号Ａ側が切妻屋根部１０の組立状態、符号Ｂ側が切妻屋根部１０の折り畳み状態を骨組構造で夫々示すものであり、図３（ｂ）は、その側面図（妻側パネル１ａ側）である。
また、図４（ａ）は、切妻屋根部１０の折り畳み状態における妻側パネル１ａ側からの拡大側面図、図４（ｂ）は平側パネル１ｂ側からの拡大側面図である。
さらに図５（ａ）は、切妻屋根部１０の組立状態における妻側パネル１ａ側からの拡大側面図、図５（ｂ）は平側パネル１ｂ側からの拡大側面図である。
【００２３】
切妻屋根部１０の組立時には、図３（ｂ）、図５（ａ）に示すように、屋根パネル３が蝶番１３を軸に傾斜して、すなわち勾配が加えられ、小屋組２の上面と固定される。
この屋根パネル３と小屋組２との固定は、図５（ａ）に示すようにボルト１１によって強固に行なわれる。また、このとき小屋組２は図４（ａ）、（ｂ）に示すように蝶番１４を軸に垂直に直立し、図５（ａ）、（ｂ）に示すようにボルト１５によって妻側パネル１ａ上端と結合される。このように、組立状態においては、ボルト結合によって建物躯体１と小屋組２と屋根パネル３とが強固に固定されるように構成されている。
【００２４】
一方、切妻屋根部１０の折り畳み時においては、図３（ａ）、（ｂ）の符号Ｂ側に示すように、小屋組２および屋根パネル３は、水平方向に倒されて折り畳まれる。このとき、図３（ｂ）の符号Ｂ側に示すように、この折り畳まれた小屋組２の上に重なるように、屋根パネル３が水平方向に折り畳まれている。
なお、図４（ａ）の拡大図に示すように、屋根パネル３は蝶番１３によって建物躯体１に対し回動自在に構成されている。この蝶番１３は、妻側パネル１ａの上端部両側に夫々固定されたＬ字型のアングル部材１２に取り付けられており、このアングル部材１２によって、屋根パネル３を平行に折り畳んだときの間隙寸法ｈ０が確保されている。
また、図４（ｂ）に示すように小屋組２は蝶番１４によって回動自在に妻側パネル１ａの上端に取り付けられており、小屋組２を折り畳んだときの小屋組２の厚さ寸法ｈ１が前記間隙寸法ｈ０内に納まるように構成されている。
【００２５】
また、小屋組２と屋根パネル３を折り畳んだときに、図４（ａ）に示すように２枚の屋根パネル３は、夫々の屋根パネル３に跨る連結部材１７を介し、２本のボルト１１によって連結固定される。これにより、輸送時における屋根パネル３の不用意な展開、あるいは、がたつき等が抑制されるよう構成されている。
【００２６】
さらに続いて、図６および図７に基づき、ユニットハウス１００の組立方法について説明する。
ユニットハウス１００は、図６（ａ）の側面図に示すように切妻屋根部１０が折り畳み状態で、トラック等の輸送手段によって設置現場に輸送される。
設置現場においては、先ず前記連結部材１７による２枚の屋根パネル３の結合が解かれた後、図６（ｂ）に示すように、屋根パネル３に取り付けられたアイボルト１６にワイヤが掛けられ、クレーン等により上方に引き上げられる。
このとき、２枚の屋根パネル３は、前記蝶番１３を軸に回動し、夫々の屋根パネル３によって山型の勾配屋根が形成される。
【００２７】
次いで、図６（ｃ）の側面図に示すように、小屋組２が前記蝶番１４を軸に回動後、直立状態で前記ボルト１５によって妻側パネル１ａ上端部と固定される。
なお、このボルト固定作業時においては、図６（ｄ）に示すように、小屋組２の外壁の一部２ａが取り外されて行なわれる。なお、この外壁の一部２ａは、ボルト固定作業終了後、再び嵌め戻される。
【００２８】
次いで、この小屋組２と屋根パネル３とが、前記ボルト１１によって固定され、図７（ａ）に示すように、２枚の屋根パネル３の間に、棟カバー４が被せられる。この棟カバー４は、屋根パネル３とボルト等により固定される。さらに図７（ｂ）に示すように屋根パネル３の周縁部に破風板５が取り付けられて、切妻屋根部１０が組立てられ、ユニットハウス１００が完成する。
【００２９】
以上説明した本発明の実施形態によれば、切妻屋根部１０を構成する小屋組２および屋根パネル３が、蝶番によって建物躯体１に対し回動自在に取り付けられ、水平方向に折り畳むことができるため、折り畳み時の高さ寸法を低く抑えることができる。
このため、車両輸送時においては、高さ寸法に起因する問題を解消することができ、しかも組立時には、付属部品の点数が少なく組立が容易なため、従来よりも設置現場での施工時間を短縮することができる。
また、折り畳みされる切妻屋根部１０の各部材は、組立て時にボルト固定により強固に固定されるため、強度を確保することができる。
【００３０】
さらに、切妻屋根部１０の折り畳み時に、１対の屋根パネル３同士が連結部材１７を介して連結固定されるため、輸送時における屋根パネル３の不用意な回動展開、あるいは、がたつき等を抑制することができる。
【００３１】
なお、前記した実施の形態においては、ユニットハウス１００の床パネルについては特に示さなかったが、本発明によれば、この床パネルの有無に関係なく、係るユニットハウスによる効果を得ることができる。
【００３２】
【発明の効果】
以上の説明で明らかなとおり、本発明によれば、輸送時における輸送の安全を図ることができると共に、輸送効率と、組立時における施工効率とを共に向上することのできるユニットハウスを提供することができる。
【図面の簡単な説明】
【図１】図１は、本発明に係る一実施形態の組立完成状態の斜視図である。
【図２】図２は、図１に示したユニットハウスの折り畳み状態の斜視図である。
【図３】図３は、図１に示したユニットハウスの切妻屋根の骨組みを示す図である。
【図４】図４は、図３の切妻屋根の折り畳み時における骨組みの拡大図である。
【図５】図５は、図３の切妻屋根の組立時における骨組みの拡大図である。
【図６】図６は、本発明に係る一実施形態の組立順を示す側面図である。
【図７】図７は、図６に続き、一実施形態の組立順を示す側面図である。
【図８】図８は、従来の折り畳み可能なユニットハウスを示す図である。
【図９】図９は、従来の折り畳み可能な屋根ユニットを示す図である。
【符号の説明】
１        建物躯体
１ａ      妻側パネル
１ｂ      平側パネル
２        小屋組
３        屋根パネル
４        棟カバー
５        破風板
１０      切妻屋根部
１１      ボルト
１２      アングル部材
１３      蝶番
１４      蝶番
１５      ボルト
１６      アイボルト
１７      連結部材
１００    ユニットハウス
【図１】
2005023661.tif 000003
【図２】
2005023661.tif 000004
【図３】
2005023661.tif 000005
【図４】
2005023661.tif 000006
【図５】
2005023661.tif 000007
【図６】
2005023661.tif 000008
【図７】
2005023661.tif 000009
【図８】
2005023661.tif 000010
【図９】
2005023661.tif 000011